(57)【特許請求の範囲】
【請求項１】
少なくとも脚の足裏からふくらはぎ迄を覆う深さの側板部と足部を載せ置く面積をもつ底板とからなる筐体と、該側板部と底板の各内側に、シート状の遠赤外線ヒータを設けた遠赤外線温熱器であって、該側板部を構成する断熱板の内側に設けたシート状の遠赤外線ヒータは、その下端部と前記底板上の遠赤外線ヒータを覆う底面シートとの間に約２〜３ｃｍの隙間を設けて配置したことを特徴とする遠赤外線温熱器。
【請求項２】
上記底板裏面には、設置傾斜角度を調節自在な回転脚を設けたことを特徴とする請求項１記載の遠赤外線温熱器。
【発明の詳細な説明】
【０００１】
【発明の属する分野】
本発明は足温器に係り、特に足の裏からふくらはぎに到る脚部を広範囲に渡って温めることが可能な、遠赤外線温熱器に関する。
【０００２】
【従来の技術】
従来から公知の赤外線温熱器は、一般に市販されているタイプの、いわゆる蛍光灯スタンド型等があり、ランプ又はセラミックスヒータから放射される赤外線又は遠赤外線を関節、背中、肩、胃腸部等に照射することにより患部を温め、これにより血行を良くし、筋肉痛、神経痛等の痛みをやわらげ、こりをほぐす等の治療効果をあげるものである。
【０００３】
この様な従来公知の治療器にあっては、電源が１００Ｖで消費電力が２００〜３００Ｗの赤外線ランプを用いるのが一般的であり、該ランプを患部から４０cm内外離れた位置にセットし、該ランプの熱線を患部に２０〜３０分間継続して照射して温めるものである。
【０００４】
この様な蛍光灯スタンド型の赤外線温熱器の他に、冷え症等を治療するために足を温める足温治療器も知られている。しかし、このような従来公知の足温治療器の多くは、例えば桶型の保温ボックスに１．８ｌ程度のお湯（３５℃程度）を入れ、このお湯に適宜の時間足を浸して温め、これにより血行を良くして冷え症等の治療効果をあげるものである。
またその他に、電気的発熱体を用いた足温器もいくつか知られているけれども、いずれも主に足裏部分を温める形式のものであって、熱効率が悪いのみならず、脚部全体を十分に温めることができないものである。
【０００５】
【発明が解決しようとする課題】
この様な従来公知の足温治療器にあっては、その大部分のものがお湯を利用するものであるために、その移動が困難であると共に、移動時における湯槽の転倒等によって思わぬ不具合を生ずる等の問題があった。また、水、湿気が多く水虫の伝染が多かった。
更に、平板発熱体を用いたものでは、足裏面のみの加熱で冷え症等に対する治療効果が十分でない等の欠点があった。
【０００６】
本発明はこのような不具合を解消し、小型小容量でしかも低電圧電源の機器を可能とし、施療場所の移動が簡単かつ安全であり、足裏からふくらはぎまでの脚部を広範囲に渡って温めることができて、冷え症等の施療効果を向上させ得る遠赤外線温熱器を提供するものである。
更に、該温熱器内に脚部を長時間挿入していても、無意識のうちに足周部が発熱体に接触していて、低温火傷を生ずる等の心配がない安全構造の遠赤外線温熱器を提供するものである。
【０００７】
【課題を解決するための手段】
本発明は、少なくとも脚の足裏からふくらはぎ迄を覆う深さの側板部と足部を載せ置く面積をもつ底板とからなる筐体と、該側板部と底板の各内側に、シート状の遠赤外線ヒータを設けた遠赤外線温熱器であって、該側板部を構成する断熱板の内側に設けたシート状の遠赤外線ヒータは、その下端部と前記底板上の遠赤外線ヒータを覆う底面シートとの間に約２〜３ｃｍの隙間を設けて配置したことを特徴とする。
また、底板裏面には、設置傾斜角度を調節自在な回転脚を設けたことを特徴とする遠赤外線温熱器である。
【０００８】
【発明の実施の形態】
本発明の実施形態を図面により説明する。
図１は、本発明の一実施例に当たる遠赤外線温熱器Ａの平面図であって、図中右半分に示した天板１０には、足を挿入するため略馬蹄形の開口１１が形成されており、該天板１０の端部にはサーモスタット４１、電源スイッチ４２、ヒューズホルダ４３、ネオンブラケット４４等を備えた表示ケース１２が固定されている。
なお、符号３４は底部に設けた回転脚３３を起伏させる回転脚把手である。
【０００９】
他方、左半分の横断面図に示すように、断熱板２１と該断熱板２１の内側に位置する側面ヒータＨ１とからなる側板部３０が、ほぼ円形状の断面となるように備えられ、例えば、遠赤布からなる円形の底面シート３１により覆われた底面ヒータＨ２と、前記の断熱板２１、側面ヒータＨ１とにより脚の足裏からふくらはぎ迄を包囲するに十分な深さの空間Ｂが形成されている。
【００１０】
そして、前記断熱板２１の外周の一側端において、前記表示ケース１２の固定部位に対応した位置にサーモスタット４１等を保持した電源ケース４５、ヒータ押え２３、電装基板４０等が配置されており、前記の各部材４５、２３、２１、Ｈ１、４１が外板２４によって包囲されている。そして、該外板２４の外周下端面には飾り帯２５が固定される。
【００１１】
図２は、図１に示す遠赤外線温熱器Ａの縦断面図であり、空間部Ｂを形成する筐体は断熱板２１と側面ヒータＨ１とからなる側板部２０および底面ヒータＨ２が備えられた底板３０で形成されており、断熱板２１と側面ヒータＨ１の外側に位置される外板２４の上端には表示ケース１２、調節ツマミ部４６等を備えた天板１０が固定されている。
また、外板２４の下端には底面ヒータＨ２と底面シート３１を備えた底板３０が固定され、かつ、前記外板２４内部の一側にはソケット２６、電装基板４０を介したサーモスタット４１等が嵌入され、多数の通気孔２７、２７を有する電源ケース４５、ヒータ押え２３等が位置している。
【００１２】
前記の断熱板２１と側面ヒータＨ１と外板２４の関連構成ついては、側面ヒータＨ１は、その幅が断熱板２１の幅と等しいか、または、断熱板２１よりやや小さく、断熱板の上端から突き出るとともに、底板３０から幅Ｗが例えば２〜３cm離間するようにずらされて配置される。また、外板２４は、その高さが断熱板２１より大きく、断熱板の上・下端から突き出るように位置されて、上突出端部と下突出端部が形成される。その結果、底板３０上の底面のヒータＨ２及び底面シート３１から上述のごとく２〜３cm上方に側面ヒータＨ１が位置するので、この間隙に足の指先等を含む外周部が位置して、直接足が側面ヒータＨ１に触れることはない。
【００１３】
他方、前記天板１０には、環状溝１３と環状外周切り欠き１４とが備えられ、前記環状溝１３に側面ヒータＨ１の突出端部が嵌入されるとともに、前記外周切り欠き１４に外板２４の上突出端部が当接されてその外周を飾り帯２５で固着される。そして、前記底板３０には、その下側面に丁番３５を介した回転脚３３が回転脚把手３４により起伏可能に固設され、かつ、前記下側面に固設されたマグネットキャッチ３６付きの回転ストッパ３７により、回転脚３３の起立状態が維持されるとともに固定脚３８も固設されている。
【００１４】
断熱板２１の下端は底板３０の周縁部に位置されるとともに、前記底板３０の外周側面に外板２４の下突出端部が当接固定された後、外板２４の下突出端部の外周を飾り帯２５で固着される。
なお、図中の符号ＦＬは仮想の床面を示しており、例えば施療者が椅子に腰掛けて脚部を空間部Ｂ内に挿入した際に、足裏全面が底板に合致する様に、床面に対する底板傾斜を調節する。
【００１５】
図３は、天板１０の平面図であり、足部及び脚部を挿入するための略馬蹄形の開口１１が形成されるとともに、この一側部には電装部品等を備えるための段部１５付き孔１６が形成され、前記段部１５に表示ケース１２を固設した上で、該孔１６を介して調節ツマミ、サーモスタット、電源スイッチ、ヒューズホルダ、ネオンブラケット等が装備される。
また、図示のごとくこの実施例においては、天板１０の外径半径をＲ＝１８０mm、開口の内径半径をＲ＝１５５mmとしている。
【００１６】
図４は、前記図３に示した天板１０の断面図及び底面図であり、該天板１０の外周には脚部挿入用の開口１１と段部１５付き孔１６とを包囲するような切り欠き１４が形成され、かつ、その下側面には前記馬蹄形の開口１１を包囲する環状溝１３が形成されて、これらの溝１３および切り欠き１４を介して側面ヒータと外板とが嵌入固定される。
【００１７】
図５は、ヒータ押え２３の平面図及び側面図であり、複数の孔２８、２８と多数のビス孔が穿設された板体であって、このヒータ押え２３は多数のビス孔をビス等により電源ケースに固定した際には、側面ヒータの両端が押圧されて固定され、電源ケースから施療対象部位を保護する。また、この固定されたヒータ押え２３の複数の孔２８、２８は電源ケースへの通気口の役割を果たすもので、これによってバッテリー、電装品等が保護される。
【００１８】
図６は、外板２４の平面図であり、本温熱器の周囲を包囲する例えば合成樹脂製の板体であって、その両端の下部には切り欠き２９、２９と多数のビス孔を備え、前記切り欠き２９、２９はソケットを挿通するために用いられ、また、前記の各ビス孔は天板と底板をビス等により固定するために用いられる。
【００１９】
図７は、断熱板２１の平面図及び側面図であり、外板の内面に位置する例えば、発泡樹脂製の板体であって、一方端の中央部に形成した突出状部２２は電源ケースへの取り付け時の位置決めに用いられる。また、該断熱板２１の厚さは、例えば１０mm程度とすることができる。
【００２０】
図８は、側面ヒータＨ１の平面図であり、本温熱器の内部を加温するためのプレート電極Ｌ１、Ｌ１が装着されるカーボンブラックを利用したシートであって、プレート電極Ｌ１、Ｌ１にはコードＬ２を介して電源から給電され、シートの幅の範囲で、即ち、足裏からふくらはぎ迄が加温される。一般的には幅３００mm程度のシートが有効である。
なお、図１に示した底面ヒータＨ２は、図８に示した側面ヒータＨ１と比較してやや短尺ではあるものの、同様の構造を備えている。これらのヒータＨ１、Ｈ２は、それ自体従来公知の遠赤外線面ヒータであって、１００Ｖの商用電源又は１２Ｖのバッテリーを利用することができるものである。
【００２１】
そこで、前記の各図に示したごとき部材が装備された図１および図２の遠赤外線温熱器Ａの作用について説明する。始めに、使用場所の傾き、施療者の姿勢等に応じて底板３０の下側面の回転脚３３を起伏させて設置し、電源スイッチ４２を入れるとともに調整ツマミ４６で所望の温度にセットすると、電源ケース４２に備えられたバッテリーからの給電により側面ヒータＨ１および底面ヒータＨ２から遠赤外線が放射されて空間部Ｂが加温される。
【００２２】
次いで、利用者は遠赤外線温熱器Ａの脚部挿入用の開口１１から空間部Ｂに足裏が底板３０に備えた底面シート３１に着く迄挿入して、脚の足裏からふくらはぎ迄を加温する。この加温中にはサーモスタット４１が所望の温度を監視するため、脚の火傷は防止されるもので、所望の施療後は電源スイッチ４２を切れば良い。
なお、ソケット２６は電源ケース４５に備えられたバッテリーを充電する電源に接続するか、前記バッテリーを介さずに直接電源に接続するのに用いられる。
【００２３】
ここで、前記の底板３０に備えある底面シート３１に着いた足と側面ヒータＨ１との位置関係について述べると、前記側面ヒータＨ１は底板３１から距離Ｗが２〜３程度離間するようにずらされていて、断熱板２１の一部が露出状態に形成されており、しかも、この断熱板２１の露出部が足の外周部の厚さよりも大きい幅に構成されるもので、底面シート３１に着いた足の指先を含む周側部は側面ヒータＨ１に直接接触することはなく、足がヒータに長時間接触して起こるいわゆる低温火傷は防止されることとなる。
【００２４】
【発明の効果】
本発明の顕著な効果は、使用場所の傾き、施療者の姿勢等が拘束されず、椅子等に腰掛けた状態で軽作業が可能で、極めて効率の良い安全な温熱器を得ることができた。
また、温熱器の深さを大きくして脚の足からふくらはぎ迄を加温可能にしたため、冷え症等の効果的な施療を可能とし、加えて、側面ヒータが底板から離間するようにずらされて足外周が断熱板の一部に当接するので、底面シートに着いた足が側面ヒータに直接接触することがなく、足の低温火傷の心配もない。
更に、従来のごとく温水を使用することがないので、転倒による漏水や漏電等の事故が防止できると共に、温熱器自体の移動が自由であって施療場所が制限されない等の格別の効果を奏するものである。
【図面の簡単な説明】
【図１】実施例の温熱器の部分断面図を含む平面図である。
【図２】同じく縦断面図である。
【図３】天板の平面図である。
【図４】同じく縦断面図及び背面図である。
【図５】ヒータ押えの平面図及び中央断面図である。
【図６】外板の平面図である。
【図７】断熱板の平面図及び側面図である。
【図８】側面ヒータの平面図である。
【符号の説明】
１０  天板
１１  開口
１２  表示ケース
１３  溝
１４  切り欠き
２０  側板部
２１  断熱板
２３  ヒータ押え
２４  外板
３０  底板
３１  底面シート
３３  回転脚
４０  電装基板
Ａ  遠赤外線温熱器
Ｂ  空間部
ＦＬ  床面
Ｈ１  側面ヒータ
Ｈ２  底面ヒータ
【図１】
0003833400.tif 000002
【図２】
0003833400.tif 000003
【図３】
0003833400.tif 000004
【図４】
0003833400.tif 000005
【図５】
0003833400.tif 000006
【図６】
0003833400.tif 000007
【図７】
0003833400.tif 000008
【図８】
0003833400.tif 000009